(57)【特許請求の範囲】
【請求項１】
ロール状に巻回されたワイパーを支持するためのフロアスタンドであって、ロールの中心孔を貫通して該ロールを回転可能に軸支する芯棒と、該芯棒の両端部を着脱自在に支持する保持部を備えた本体部材と、該本体部材に回動可能に軸支されて前記ロールの上面を被覆する押さえ板とを有するフロアスタンドにおいて、
前記押さえ板の先端部には、前記ロールから引き出されたワイパーの先端部分を該押さえ板の上面側に導く長孔を備えたフロアスタンドであり、
且つ、前記本体部材は、第１脚部材と第２脚部材とを有し、該第１脚部材の中間部に、前記第２脚部材の左右上端部内側に取り付けられている基板を備える保持部とジョイントボルトとを介して回動可能に第２脚部材を連結し、前記第１脚部材に対して前記第２脚部材が折り畳み可能に形成されていることを特徴とするフロアスタンド。
【請求項２】
上記本体部材には、上記押さえ板が上記ロールの上面から上方へ所定量回動されたときに、該押さえ板が当接して保持される環状孔の付いたストッパーが設けられていることを特徴とする請求項１記載のフロアスタンド。
【請求項３】
上記芯棒には、上記ロールの左右幅よりも大きな距離を隔てて、左右両側近傍の各位置に、前記ロールの中心孔の内径よりも小さな外径を有する鍔部が設けられていることを特徴とする請求項１または２記載のフロアスタンド。
【請求項４】
上記保持部は、上記第２脚部材の内側に固定されて第１脚部材に回動自在に取り付けられた基板と、該基板の内側に固定されて上記芯棒の両端部を上方から受け入れる側面視コ字状またはＵ字状ブラケットとから構成され、該ブラケットの少なくとも上記ロールが引き出されていく前側片の上部を引き出されていく側へ傾斜させるとともに、該前側片の高さが後側片の高さよりも大きく形成されていることを特徴とする請求項１，２または３記載のフロアスタンド。
【請求項５】
上記ストッパーに環状孔を通じて紐状連結部材の一端部を取り付けるとともに、該紐状連結部材の他端部が上記芯棒の一端部に取り付けられていることを特徴とする請求項２，３または４記載のフロアスタンド。
【請求項６】
上記本体部材には、取り外された上記芯棒を収受可能な収納部が設けられていることを特徴とする請求項１，２，３，４または５記載のフロアスタンド。
【発明の詳細な説明】
【技術分野】
【０００１】
本発明は、フロアスタンドに関するものであり、特に、ロール状に巻回されたワイパーを支持するためのフロアスタンドに関するものである。
【背景技術】
【０００２】
産業界各般で使用される汚れ拭きとしては、ワイパーと称されて、主として紙製または不織布製の製品が知られている。特に、ロール状に巻回されたワイパーは、例えば室内の壁面に取り付けたホルダーに支持させるか、あるいは、床面に設置されたフロアスタンドに支持させておき、必要とするときにロールから所定の長さを引き出して、ミシン目の切り取り線から切り取って使用するようになっている。
【０００３】
しかし、使用後に放置すると、ロールの先端部分（巻端部分）が緩んで垂れ下がったり、あるいは、巻き戻されて先端部がロールに密着したりする現象が発生し、次にワイパーを使用するときに、先端部分が引き出しづらいことが多い。特に、不織布で作られたロール状のワイパーは厚手であり、また大型で長尺に巻回されているのでロールの重量が重く、使い始めは大きな力で引き出さないとロールが回転しない。したがって、先端部分が一度巻き戻されて密着したロールから、再び先端部分を引き出すのは面倒な作業である。
【０００４】
プラスチックシートや金属箔シートなどのロール状物品のホルダーで、ロールの管状巻取軸に支持ロール（芯棒）を嵌装して横置きに保持し、かつ、ロールの上部に跨る前後二枚の押さえ板を該ロール上に回動自在に配設するとともに、押さえ板の左右両辺と支持ロールとの間に穴あき扇状の支持ブラケットを掛け渡し、双方の支持ブラケットの穴に前記支持ロールの両端部を係止させることにより、前記押さえ板で常にロールの表面を押圧するようにして、汚れと巻き戻りを防ぐようにしたホルダーが知られている（例えば、特許文献１参照）。
【０００５】
また、スタンドの上端近くに設けたカバー板によってロール紙の上部を押さえるように形成し、ペダル操作に連動してカバー板の押さえを解除するとともに、所定長さのロール紙を引き出して、ミシン目に沿って切り取るように形成したスタンド形のホルダーも知られている(例えば、特許文献２参照)。
【特許文献１】実公昭５１−３７８２３号公報。
【特許文献２】特開２００３−９３２６８号公報。
【発明の開示】
【発明が解決しようとする課題】
【０００６】
しかしながら、特許文献１記載の発明は、押さえ板の左右両端辺と支持ロール間を穴あき扇状の支持ブラケットで連結する等、構造が複雑になっている。また、壁面に取り付ける構成であり、フロアに設置する構成ではない。
【０００７】
一方、特許文献２記載の発明は、通常はカバー板によってロール紙の上部を押さえておき、ペダル操作に連動してカバー板の押さえを解除するように形成してあるが、ロール紙のロール径が小さくなったときは、ロープやワイヤ等の長さ調整が必要になる。また、繰り出しが不十分で、ロール紙を正しくミシン目から切り取ることができにくいものとなっている。
【０００８】
また、特許文献１および特許文献２のいずれのホルダーも、ロールの取り付け・取り外しが簡単でないという問題もある。
【０００９】
そこで、簡単な構造のフロアスタンドであって、ワイパーの切り取り後にロールの先端部分が巻き戻りにくく、また、次に使用するときに先端部分が引き出しやすい構造にしたフロアスタンドを提供するために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、ロール状に巻回されたワイパーを支持するためのフロアスタンドであって、ロールの中心孔を貫通して該ロールを回転可能に軸支する芯棒と、該芯棒の両端部を着脱自在に支持する保持部を備えた本体部材と、該本体部材に回動可能に軸支されて前記ロールの上面を被覆する押さえ板とを有するフロアスタンドにおいて、
前記押さえ板の先端部には、前記ロールから引き出されたワイパーの先端部分を該押さえ板の上面側に導く長孔を備えたフロアスタンドであり、
且つ、前記本体部材は、第１脚部材と第２脚部材とを有し、該第１脚部材の中間部に、前記第２脚部材の左右上端部内側に取り付けられている基板を備える保持部とジョイントボルトとを介して回動可能に第２脚部材を連結し、前記第１脚部材に対して前記第２脚部材が折り畳み可能に形成されていることを特徴とするフロアスタンドを提供する。
【００１１】
この構成によれば、押さえ板に設けられた長孔は、押さえ板の下面側に配置されているロールの先端部分を、押さえ板の上面側に導出するという作用を有する。また、長孔を通って押さえ板の上面に引き出されたワイパーの先端部分は、該押さえ板の外側で切り取られ、また切り取りが終って新たに残されたワイパーの先端部分は、次の使用時に使用者が指で摘めるように押さえ板の上面に添って垂れ下がる状態で残される。
【００１３】
この構成によれば、フロアスタンドを使用するときは、第２脚部材を開方向に回動させると、第１脚部材と第２脚部材との間が開いて、フロアスタンドを使用できる状態になり、不使用時には第２脚部材を閉じ方向に回動させると、第１脚部材と第２脚部材との間が閉じてフロアスタンドを折り畳むことができる。
【００１４】
請求項２記載の発明は、上記本体部材には、上記押さえ板が上記ロールの上面から上方へ所定量回動されたときに、該押さえ板が当接して保持される環状孔の付いたストッパーが設けられていることを特徴とする請求項１記載のフロアスタンドを提供する。
【００１５】
この構成によれば、新しいロールに交換するような場合に、押さえ板を上方へ跳ね上げるとストッパーに当接する。従来のストッパーがない構造では、押さえ板が反対側まで大きく回転してしまうが、本発明では、ロールの交換作業に適した開放位置に押さえ板が保持される。
【００１６】
請求項３記載の発明は、上記芯棒には、上記ロールの左右幅よりも大きな距離を隔てて、左右両側近傍の各位置に、前記ロールの中心孔の内径よりも小さな外径を有する鍔部が設けられていることを特徴とする請求項１または２記載のフロアスタンドを提供する。
【００１７】
この構成によれば、ロールの中心孔に芯棒を挿入する際に、芯捧の両端部近傍に設けた鍔部のうち、ロールの中心孔に挿入された一方の鍔部が、中心孔に接触しながら芯捧が挿入されていく。そして、ロールの中心孔縁に他方の鍔部が突き当たって芯捧の挿入が停止する。従来の鍔部がないストレート形の心棒では、中心孔の反対側へ芯捧が通り抜けて落下してしまうことが多いが、本発明では、芯捧が反対側へ抜け落ちることがなく、挿入の位置決めができる。
【００１８】
請求項４記載の発明は、上記保持部は、上記第２脚部材の内側に固定されて第１脚部材に回動自在に取り付けられた基板と、該基板の内側に固定されて上記芯棒の両端部を上方から受け入れる側面視コ字状またはＵ字状ブラケットとから構成され、該ブラケットの少なくとも上記ロールが引き出されていく前側片の上部を引き出されていく側へ傾斜させるとともに、該前側片の高さが後側片の高さよりも大きく形成されていることを特徴とする請求項１，２または３記載のフロアスタンドを提供する。
【００１９】
この構成によれば、ロールが引き出されていく前側片が上方に向かって斜めに開いているので、前側からロールをセットする際に、心棒の両端部をブラケットに受け入れやすい。また、ブラケットの底部は前側片と後側片との間の距離が徐々に狭まっているので、ブラケットに受け入れ後は芯捧にガタが発生しない。さらに、ブラケットの前側片の高さが後側片よりも高いので、ロールからワイパーの先端部分を引出す際に、ロール自体が前方に引かれても、ロールの芯捧が前側片から外れ難い。
【００２０】
請求項５記載の発明は、上記ストッパーに環状孔を通じて紐状連結部材の一端部を取り付けるとともに、該紐状連結部材の他端部が上記芯棒の一端部に取り付けられていることを特徴とする請求項２，３または４記載のフロアスタンドを提供する。
【００２１】
この構成によれば、ロールを交換する際に、ロールの中心孔から取り外した芯棒が、紐状連結部材を介してストッパーに拘束されるので、交換中に、芯捧が他所へ不慮移動することがない。
【００２２】
請求項６記載の発明は、上記本体部材には、取り外された上記芯棒を収受可能な収納部が設けられていることを特徴とする請求項１，２，３，４または５記載のフロアスタンドを提供する。
【００２３】
この構成によれば、ロールを交換する際に、ロールの中心孔から取り外した芯棒が、本体部材に設けられている収納部に収容されるので、交換中に、芯捧が他所へ不慮移動することがない。
【発明の効果】
【００２４】
請求項１記載の発明は、ワイパーを使用する際に切り取られて新たに残されたワイパーの先端部分が、次の使用時に使用者が指で摘みやすいように、押さえ板の上面に添って外側に垂れ下がる状態で残される。したがって、ワイパー切断後のロールが反対側に巻戻り難く、また次回の使用者が指で摘んで引き出しやすい。また、従来のフロアスタンドの構造を大きく変えずに、押さえ板に長孔を設けるという簡単な追加工だけで、本発明を簡単に実施することができる。
【００２５】
また、請求項１記載の発明は、フロアスタンドを使用しないときは、第１脚部材と第２脚部材を閉じて折り畳むことにより、コンパクトな状態でフロアスタンドを保管できる。一方、フロアスタンドを使用するときは、きわめて簡単に第１脚部材と第２脚部材との間を広げて使用することができるので、前記効果に加えて、保管等が極めて簡便となる効果が期待できる。
【００２６】
請求項２記載の発明は、新しいロールに交換するような場合に、押さえ板を上方へ跳ね上げてストッパーに係止させることができるので、前記の効果に加えてロールの交換作業等が極めて簡便になる効果が期待できる。
【００２７】
請求項３記載の発明は、芯棒をロールの中心孔に挿入すると、ロールの中心孔縁に鍔部が突き当って挿入の位置決めができ、また芯棒が抜け落ちることもないので、前記の効果に加えて、ロールの中心孔への芯棒のセットが容易になるという効果が期待できる。
【００２８】
請求項４記載の発明は、芯棒を挿入させるブラケットの開口を広く確保しているので、芯棒の挿入がしやすく、ロールのセットを容易に行うことができる。しかも、ブラケットの底部は徐々に狭まっているので、挿入された芯棒とブラケットとの隙間が少なくなり、芯棒の両端をガタツキなく保持することができる。また、前側片の高さが後側片の高さよりも大きいので、使用時にロールが引き出し側に引っ張られたとしても、芯棒がブラケットから不慮脱落するようなことはない。これにより、請求項１，２または３記載の発明の効果に加えて、操作性並びに信頼性の向上が期待できる。
【００２９】
請求項５記載の発明は、ロールを交換する際に、取り外した芯棒を紐状連結部材でストッパーに拘束しておくことができるので、取り外した芯棒を紛失するようなことがなくなり、請求項２，３または４記載の発明の効果に加えて、利便性が向上する。
【００３０】
請求項６記載の発明は、ロールを交換する際に、取り外した芯棒を収納部に収納して保管できるので、取り外した芯棒を紛失するようなことがなくなり、請求項１，２，３，４または５記載の発明の効果に加えて、さらに利便性が向上する。
【発明を実施するための最良の形態】
【００３１】
簡単な構造のフロアスタンドであって、ワイパーの切り取り後にロールの先端部分が巻き戻りにくく、また、次に使用するときに先端部分が引き出しやすい構造にしたフロアスタンドを提供する目的を達成するために、ロール状に巻回されたワイパーを支持するためのフロアスタンドであって、ロールの中心孔を貫通して該ロールを回転可能に軸支する芯棒と、該芯棒の両端部を着脱自在に支持する保持部を備えた本体部材と、該本体部材に回動可能に軸支されて前記ロールの上面を被覆する押さえ板とを有するフロアスタンドにおいて、前記押さえ板の先端部には、前記ロールから引き出されたワイパーの先端部分を該押さえ板の上面側に導く長孔を備えたことにより実現した。
【実施例】
【００３２】
以下、本発明のフロアスタンドについて、好適な実施例をあげて説明する。図１〜図５はフロアスタンドの全体図で、図６はフロアスタンドにおける上部の構造を詳細に示す拡大斜視図である。
【００３３】
図１〜図６において、ロール状に巻回されたワイパーを支持するためのフロアスタンド１は、第１脚部材２と第２脚部材３を有する本体部材４と、該本体部材４の左右両側に各々設けられている左右１対の保持部５，５と、該保持部５，５に脱着自在等に取り付けられた芯棒６と、該本体部材４に取り付けられた押さえ板７とにより構成されている。
【００３４】
なお、本実施例で使用するロール状のワイパー３０（以下、前後の状況によって、単にロール３０またはワイパー３０という場合もある）は、例えば不織布で作られてロール状に巻回されたもので、ワイパーの先端部分３０ａを所定長さに引き出して、予め設けられているミシン目で切断して使用されるものを一例とするが、必ずしもミシン目が設けられていないロール状のワイパー３０であっても差し支えない。
【００３５】
前記第１脚部材２は、左右両側に各々第１支持脚部２ａ，２ａを設けるとともに、該第１脚部２ａ，２ａの上下の両端部を連結部２ｂ，２ｃで各々連結して、概略矩形状にパイプ材で形成されている。また、第１支持脚部２ａ，２ａの上端部には、外側に突出させたストッパー８，８が形成されている。該ストッパー８，８は、コ字状に屈曲させた金具の両側先端部分を第１支持脚部２ａ，２ａの側面または背面に溶接等で固定し、第１支持脚部２ａ，２ａとの間に矩形状をした環状孔９，９を形成した状態にして取り付けられている。
【００３６】
前記第２脚部材３は、パイプ材でコ字形に形成され、左右両側に各々第２支持脚部３ａ，３ａを設けるとともに、該第２支持脚部３ａ，３ａの下側部を連結部３ｂで連結して、概略コ字状のパイプ材で形成されている。また、第２支持脚部３ａ，３ａの開放された左右の上端部は、第１脚部材２の中間部に上記保持部５，５とジョイントボルト１０，１０を介して回動可能に連結されている。
【００３７】
前記保持部５，５は、図６中に詳細に示しているように、第２脚部材３の左右上端部内側に固定して取り付けられている基板１１と、該基板１１の内面側に固定して取り付けられているブラケット１２とで構成されている。
【００３８】
前記基板１１の一部は第１支持脚部２ａの内面に当接し、かつ該第１支持脚部２ａと該基板１１を貫通して取り付けられたジョイントボルト１０により、第１支持脚部２ａの上下方向中間部に回動可能に取り付けられている。
【００３９】
前記ブラケット１２は、金属板材をプレス成形してなる。また、図６および図７に示すように、前側片１２ａと底面片１２ｂと後側片１２ｃで上面および内側に開口部分を有するコ字状溝を形成し、かつ前側片１２ａと後側片１２ｃの一側部から外側に向かって折り曲げられている取付片１２ｄ，１２ｅを基板１１の内面に固定して取り付けられている。
【００４０】
ブラケット１２を基板１１の内面に固定する方法としては、前述した取付片１２ｄ，１２ｅを設けずして、図示は省略するが、前側片１２ａと後側片１２ｃの端部を直接基板１１へ溶接にて固定してもよい。この構成の場合は、ブラケット１２の製作工程がより簡単となる。
【００４１】
なお、ブラケット１２と芯棒６との組み合わせ配置状態等を概略的に示している図７から明らかなように、ブラケット１２の前側片１２ａと後側片１２ｃは、底面片１２ｂから上方へ進むのに従って互いに離れる方向に傾斜して設けられ、とくに、前側片１２ａはワイパーの先端部分３０ａが引き出される前側方向へ傾斜しており、後述する芯棒６を挿入する際に、ブラケット１２の上部開口の前後方向の間隔が広くて、芯捧６を挿入しやすいように構成してある。
【００４２】
また、前側片１２ａの底面片１２ｂからの高さは、後側片１２ｃの底面片１２ｂからの高さよりも大きく形成されており、ワイパーの先端部分３０ａを引き出す時に、ワイパー３０を回転可能に軸支している芯棒６が前側(引き出し側)に力を受けながら上方に多少浮き上がった場合であっても、芯棒６が前側片１２ａを乗り越えてロール３０がブラケット１２から脱落しないように設定してある。
【００４３】
前記芯棒６は、両端部６ａ，６ａが左右のブラケット１２，１２内にそれぞれ着脱自在に受け入れられ、該ブラケット１２，１２間に掛け渡された状態で取り付けられるもので、ブラケット１２，１２より内側に位置する左右両側部分に、それぞれ環状の鍔部１３，１３が装着されている。なお、本実施例の場合では、図３に示すように、ロール幅が寸法Ｗ１と寸法Ｗ２と寸法Ｗ３の３つのタイプのロール３０を、１種類の芯棒６に取り付けることができるようになっている。
【００４４】
したがって、芯棒６上における左右の鍔部１３，１３の距離は、最大幅の寸法Ｗ３よりも若干大きく設定してあり、また鍔部１３，１３の外径はロール状物品３０の中心孔３１の内径よりも若干小さく、ロール３０の中心孔３１内へ芯棒６を鍔部１３と共に挿入できるように構成されている。
【００４５】
前記押さえ板７は、図６および図７に示すように、フレーム１４と、該フレーム１４に固定して取り付けられた覆板１５とより構成されている。フレーム１４は、左右両側部１４ａ，１４ａと、該左右両側部１４ａ，１４ａの前端側を連結している前端部１４ｂと、該左右両側部１４ａ，１４ａの後端側を内側へほぼ直角に屈曲した係止部１４ｃ，１４ｃとを有しており、棒状金属材で平面視概略コ字状に形成されている。
【００４６】
前記押さえ板７は、ロール３０を上方から押さえて、ロール３０の逆転による先端部の巻き込みを防止するためのものであり、種々の実験を行った結果、次に述べるような形状とした。前記押さえ板７の前端部Ａ（フレームの前端部１４ｂ）から後端部Ｄ（フレームの係止部１４ｃ）に至るまでに、２箇所の屈曲部ＢおよびＣが設けられ、屈曲部Ｂと屈曲部Ｃはそれぞれ反対方向へ屈曲されて、押さえ板７の側面視がヘ字形を反転して連続した形状となっている。
【００４７】
押さえ板７の屈曲部Ｂから屈曲部ＣまでのＢＣ部分に対して、前端部Ａから屈曲部ＢまでのＡＢ部分を上向きに傾斜させてあり、ＡＢ部分とＢＣ部分の成す角度αを１２０°〜１７９°とし、好ましくは角度αを１４０°〜１７５°とする。これは、ワイパーの先端部分３０ａをＡＢ間の長孔１６から引き出して、必要量カットした後に、先端部分３０ａがロール３０本体側に巻き戻るのを防止するための最適な角度である。なお、図７の二点鎖線で示すように、ＢＣ部分に対してＡＢ部分を下向きに傾斜させて、ＡＢ部分とＢＣ部分の成す角度βを１２０°〜１７９°とし、好ましくは角度βを１４０°〜１７５°としても、前述と同様の作用効果を得ることができる。
【００４８】
一方、屈曲部Ｂから屈曲部ＣまでのＢＣ部分と、屈曲部Ｃから後端部ＤまでのＣＤ部分との成す角度γを１３５°〜１７９°とし、好ましくは角度γを１５０°〜１７７°とする。これは、ロール３０の円周に沿って押さえ板７を効果的に働かせるためである。
【００４９】
さらに、押さえ板７の後端部は、フレーム１４の左右両側部１４ａ，１４ａの後端側を内側へほぼ直角に屈曲して係止部１４ｃ，１４ｃが形成され、該係止部１４ｃ，１４ｃを前記第１支持脚部２ａ，２ａの上部側面に設けられている取付孔１７，１７に係合させて、前記フレーム１４を上下方向へ回動自在に取り付け、ロール３０の上面を被覆する構造になっている。
【００５０】
また、覆板１５は、フレーム１４の前部側に取り付けられ、覆板１５の前端部１５ａとフレーム１４の前端部１４ｂとの間に長孔１６となる隙間を設けて、該フレーム１４の左右両側部１４ａ，１４ａに跨って取り付けられている。押さえ板７の先端部分が上向きに傾斜させてあり、押さえ板７の下面側に配置されているロール３０のワイパー先端部分３０ａを、前記長孔１６から押さえ板７の上面側に導出させておくことにより、先端部分３０ａがロール３０本体側に巻き戻るのを防止できる。
【００５１】
なお、前述したように、押さえ板７の先端部分を下向きに傾斜させた場合も、前記ワイパー先端部分３０ａを押さえ板７の下面側から上面側へ導出させておくことにより、先端部分３０ａがロール３０本体側に巻き戻るのを防止できる。
【００５２】
ここで、前記長孔１６の前後方向の幅（ＡＢ部分の内寸法）は１〜５０mmとし、好ましくは３〜３５mmとする。これは、前述のＢＣ部分に対してＡＢ部分に角度α（または角度β）の傾斜を設けたことと同様に、ワイパーの先端部分３０ａがロール３０本体側に巻き戻るのを防止するためと、さらに、新しいロール３０をセットしてスタートさせる際、ワイパーの先端部３０ａを長孔１６へ簡単に挿通できるという、作業の容易性を図るためでもある。
【００５３】
次に、このように構成されたフロアスタンド１の使用例を説明する。まず、フロアスタンド１を使用しないとき、ブラケット１２から芯棒６をロール３０と共に取り外し、第２脚部材３の連結部３ｂ側を第１脚部材２の下連結部２ｂ側に押し付けると、該第２脚部材３がジョイントボルト１０を支点にして内側に回転し、図５に示すように、第１脚部材２と第２脚部材３が互いに密着された状態に折り畳んでおくことができる。
【００５４】
フロアスタンド１を使用する場合は、ジョイントボルト１０，１０を支点にして、第２脚部材３を第１脚部材２に対して回転させ、第１脚部材２の下連結部２ｂと第２脚部材３の連結部３ｂとの間を開く。この場合、第２脚部材３の上端部が第１脚部材２の側面に当接して回転が規制されるまで回転させることができる。次いで、押さえ板７の側部１４ａが第１支持脚部２ａ，２ａのストッパー８，８と衝突するまで(図４中に二点鎖線で示す状態)、押さえ板７を上側に回転させると、その衝突した開位置に保持しておくことができる。
【００５５】
続いて、ロール３０の中心孔３１に芯棒６を挿入する。このとき、芯捧６の両端部近傍に設けた鍔部１３，１３のうち、ロール３０の中心孔３１に挿入された一方の鍔部１３が、中心孔３１に接触しながら芯捧６が挿入されていく。そして、ロール３０の中心孔３１の縁に他方の鍔部１３が突き当たって芯捧６の挿入が停止する。このように、芯棒６に設けた鍔部１３が抜け止めとなり、芯捧６が反対側へ抜け落ちることがなく、挿入の位置決めができる。
【００５６】
次いで、ロール３０を取り付けた芯棒６を、左右のブラケット１２，１２の上側から前側片１２ａと後側片１２ｃとの間に落とし込む。芯棒６の落とし込みでは、前側片１２ａと後側片１２ｃとの間の隙間は、上側に向かって大きく開いているので、スムーズに挿入できる。一方、底面片１２ｂに乗るまで芯棒６が落ち込むと、前側片１２ａと後側片１２ｃとの間隙寸法が小さくなっているので、芯棒６とのブラケット１２との隙間が殆どなくなり、ガタツキを押さえた状態でセットされる。また、前側片１２ａが後側片１２ｃよりも高さが大きいため、フロアスタンド１の使用時に、ロール３０が引き出し側に引っ張られたとしても、芯捧６がブラケット１２から不慮脱落するようなことはない。
【００５７】
こうしてロール３０と芯棒６とが保持部５にセットされたら、次にロール３０の先端部分３０ａを押さえ板７の下面側から長孔１６に通して上面側へ繰り出す。その後、押さえ板７をロール３０の上面に倒して被覆するとセットが完了する。
【００５８】
そして、ワイパー３０を使用する場合は、長孔１６から押さえ板７の上面側に導出されている先端部分３０ａの一部を使用者が指で摘んで、ミシン目等が前部１４ｂと対応する位置まで先端部分を引き出して、さらに下方に引き下げると、ワイパー３０がミシン目で容易に切断される。また、切り取りが終って新たに残された先端部分３０ａは、次回に使用するときに使用者が指で摘めるように、押さえ板７の上面前端(前部１４ｂの外面)に添って垂れ下がる状態で残される。
【００５９】
このように、本発明のフロアスタンド１によれば、ロール状のワイパー３０を切断部で確実に切断でき、また切断作業後、押さえ板７の前部上面に、常にワイパーの先端部分３０ａを残した状態にすることができ、操作性並びに信頼性の向上に寄与できる。
【００６０】
図８は、ロール３０から抜き出した芯棒６の保持状態を示し、芯棒６の一端部に鎖やチェーン等の紐状連結部材１８の一端部を取り付けておき、該紐状連結部材１８の他端部をストッパー８の環状孔９に接続しておく。したがって、ロール３０を交換する際に、取り外した芯棒６が紐状連結部材１８でストッパーに繋がれているので、取り外した芯棒６が他所へ不慮移動することがなく、芯捧６の紛失を防止することができる。
【００６１】
また、図示は省略するが、本体部材４の第１脚部材２または第２脚部材３の側面に、取り外した芯棒６の一端部を差し込んで収納できるホルダーを設けておき、不使用時に取り外した芯棒６をホルダーに保持できるようにしてもよい。この構成においても、図８に示す構成と同様に、取り外した芯棒６の紛失を防止することができる。
【００６２】
なお、本発明は、本発明の精神を逸脱しない限り種々の改変を為すことができ、そして、本発明が該改変されたものに及ぶことは当然である。
【図面の簡単な説明】
【００６３】
【図１】本発明に係るフロアスタンドを使用状態で示す斜視図。
【図２】同上フロアスタンドの平面図。
【図３】同上フロアスタンドの正面図。
【図４】同上フロアスタンドの側面図。
【図５】同上フロアスタンドを折り畳み状態で示す側面図。
【図６】同上フロアスタンドの上部分の拡大斜視図。
【図７】同上フロアスタンドの図６のＸ−Ｘ線断面図。
【図８】同上フロアスタンドの芯捧の保持状態を示す要部斜視図。
【符号の説明】
【００６４】
１    フロアスタンド
２    第１脚部材
２ａ  第１支持脚部
３    第２脚部材
３ａ  第２支持脚部
４    本体部材
５    保持部
６    芯棒
７    押さえ板
８    ストッパー
９    環状孔
１１    基板
１２    ブラケット
１２ａ  前側片
１２ｂ  底面片
１２ｃ  後側片
１３    鍔部
１４    フレーム
１５    覆板
１６    長孔
３０    ロール状のワイパー（単にロールまたはワイパー）
３０ａ  ワイパーの先端部分
３１    中心孔 
【図１】
0005054473.tif 000002
【図２】
0005054473.tif 000003
【図３】
0005054473.tif 000004
【図４】
0005054473.tif 000005
【図５】
0005054473.tif 000006
【図６】
0005054473.tif 000007
【図７】
0005054473.tif 000008
【図８】
0005054473.tif 000009